(57)【要約】      （修正有）【課題】全体形状を嵩張らすことなく製造コストを削減でき、さらに腰椎の狭窄や曲がりを矯正するとともに、腰椎、仙骨、尾てい骨を刺激することでマッサージ効果を付与することができる骨格矯正器具を提供する。【解決手段】台部２と、台部２に具備された押圧具３とで構成される骨格矯正器具１であって、前記押圧具３は、台部２上に適宜間隔を有する状態で平行に装着されている。また前記押圧具３は、側面視において略半円状に形成されている。さらに前記骨格矯正器具１に高さ調節具を具備した。【選択図】図１
0003182042.tif 000002
【実用新案登録請求の範囲】
【請求項１】
台部と、台部に具備された押圧具とで構成される骨格矯正器具であって、前記押圧具は、台部上に間隔部を有する状態で平行に装着されていることを特徴とする骨格矯正器具。
【請求項２】
前記押圧具は、背側下部に配設させた際、背骨の両側面側に配置される請求項１記載の骨格矯正器具。
【請求項３】
前記押圧具は、側面視において略半円状に形成されている請求項１または２記載の骨格矯正器具。
【請求項４】
前記押圧具は、長手方向一側が他方側より小径湾曲に形成されている請求項３記載の骨格矯正器具。
【請求項５】
前記骨格矯正器具に高さ調節具を具備した請求項１乃至４のうちいずれか１項に２記載の骨格矯正器具。
【考案の詳細な説明】
【技術分野】
【０００１】  本考案は、腰椎の狭窄や曲がりを矯正するとともに、腰椎、仙骨、尾▲てい▼骨を刺激することでマッサージ効果を付与することができる骨格矯正器具に関する。
【背景技術】
【０００２】  長時間のデスクワークや姿勢習慣に伴い、若年層から高齢者に亘り腰痛が慢性化されている。腰痛は腰椎が狭窄を起こしたり曲がったりすることが起因するが、腹筋や背筋の筋力の低下も大きな原因とされている。【０００３】  これらの腰痛を解消する従来技術として、脳脊髄液の流れをスムーズにすることで、より効率よく腰椎を矯正することができる腰椎矯正具がある。
上掲腰椎矯正具は、載置面に置面するベース部材と、背受け部分がベース部分に対し、４０〜６０°の傾斜角に保持される背受け部材と、臀部受け部分がベース部分に対し、１４０〜１５５°の傾斜角に保持される臀部受け部材とを備え、前記臀部受け部分に臀部が受けられた時、仙骨に当接して腰仙角が小さくなる方向に仙骨を付勢する弾性押圧部材が前記臀部受け部分の所定位置に設けられている腰椎矯正具において、前記背受け部分の所望位置に固定自在で、固定位置で頸部を支持したとき、頸椎の彎曲角度が頸椎部分での脳脊髄液の流れを円滑にする角度に矯正する枕体が備わっていることを特徴とする。【０００４】  また、背骨の１つ１つの椎骨の位置ずれを矯正することができる背骨矯正具がある。
上掲背骨矯正具は、背骨の椎骨と椎骨との間に差し込んで背骨の椎骨と椎骨との間を伸ばす背骨矯正具であって、頂辺部と２つの傾斜面とからなる断面山形の差込み部と、当該差込み部を支持する支持部とを有していることを特徴とする。
【先行技術文献】
【特許文献】
【０００５】
【特許文献１】特開平１１−４７１７８号公報（特許請求の範囲等）
【特許文献２】特開２００７−１９５７０４号公報（特許請求の範囲等）
【考案の概要】
【考案が解決しようとする課題】
【０００６】  しかしながら、上掲特許文献１の腰椎矯正具は全体形状が大型となり、コスト高になるとともに、設置場所も限定されるという問題がある。また特許文献２の背骨矯正具は、椎骨の位置ずれを矯正することができるが、椎骨の曲がりやマッサージ効果を付与するまでには至らなかった。【０００７】  そこで本考案は上述の点に鑑み、全体形状を嵩張らすことなく製造コストを削減でき、さらに腰椎の狭窄や曲がりを矯正するとともに、腰椎、仙骨、尾▲てい▼骨を刺激することでマッサージ効果を付与することができる骨格矯正器具を提供することにある。
【課題を解決するための手段】
【０００８】  上記課題を解決するために、台部と、台部に具備された押圧具とで構成される骨格矯正器具であって、前記押圧具は、台部上に間隔部を有する状態で平行に装着されていることを特徴とする。【０００９】  また前記押圧具は、背側下部に配設させた際、背骨の両側面側に配置される。【００１０】  また前記押圧具は、側面視において略半円状に形成されている。【００１１】  また前記押圧具は、長手方向一側が他方側より小径湾曲に形成されている。【００１２】  さらに、前記骨格矯正器具に高さ調節具を具備した。
【考案の効果】
【００１３】  本考案の骨格矯正器具は、台部と、台部に具備された押圧具とで構成され、前記押圧具は、台部上に間隔部を有する状態で平行に装着されているため、骨格矯正器具を背骨の下部に配置させることで、腰椎の狭窄や曲がりを矯正することができる。【００１４】  また前記押圧具は、側面視において略半円状に形成されているため、骨格矯正器具を任意の箇所に押圧させることで、腰椎、仙骨、尾▲てい▼骨を刺激することができ、ツボ刺激によるマッサージ効果を付与することができる。【００１５】  さらに、前記骨格矯正器具に高さ調節具を具備したことにより、身体サイズの異なる女性から男性まで、幅広く使用することができる。
【図面の簡単な説明】
【００１６】
【図１】本考案の骨格矯正器具の全体斜視図である。
【図２】高さ調節具の全体斜視図である。
【図３】高さ調節具を装着した骨格矯正器具の全体斜視図である。
【図４】本考案の骨格矯正器具の側面図である。
【図５】前記骨格矯正器具の平面図である。
【図６】本考案の骨格矯正器具の使用状態側面図である。
【図７】本考案の骨格矯正器具の使用状態平面図である。
【考案を実施するための形態】
【００１７】  本考案の骨格矯正器具は、全体形状を嵩張らすことなく製造コストを削減でき、さらに腰椎の狭窄や曲がりを矯正するとともに、腰椎、仙骨、尾▲てい▼骨を刺激することでマッサージ効果を付与することができることを特徴とする。
以下、本考案における骨格矯正器具の実施の形態を図面に基づいて説明する。
【００１８】  図１に示す骨格矯正器具１は、横臥した状態で身体の背中下部に配置されるもので、木製、樹脂、金属等の素材で形成されている。また前記骨格矯正器具１は、台部２と、台部２に具備された押圧具３とで構成されている。
【００１９】  台部２は、押圧具３の前後方向に一対設けられている。また前記台部２は、強靭な肉厚状に形成されており、底面には、後述詳細の高さ調節具１０の突起１３を嵌入する凹溝（図示せず）が形成されている。
【００２０】  押圧具３は、前記台部２上に一対形成されており、間隔部ｄを有する状態で平行に装着されている。また前記押圧具３は、図７に示すように、背側下部に配設させた際、背骨の両側面側に配置される。そのため、長時間のデスクワークや姿勢習慣に伴い、腰椎の曲がりが生じた際、腰椎の曲がりを矯正することができる。
【００２１】  また前記押圧具３は、側面視において略半円状に形成されている。前記押圧具３を略半円状に形成することで、腰椎、仙骨、尾▲てい▼骨、健筋を刺激することができ、マッサージ効果を付与することができる
【００２２】  また前記押圧具３は、図４に示すように、長手方向一側３ａが他方側３ｂより小径湾曲に形成されている。そのことにより、図６に示すように、腰椎から仙骨にかけての湾曲形状に好適な状態にフィットさせることができる。
【００２３】  また他の好適例として、前記骨格矯正器具１に高さ調節具１０を具備した。高さ調節具１０は、図２に示すように、基台１１と、基台１１上に装着された一対の調節部１２と、それぞれの調節部１２に具備された一対の突起１３とからなる。
【００２４】  図３に示すように、前記骨格矯正器具１の凹溝に高さ調節具１０の突起１３を嵌入させ、骨格矯正器具１の下部に高さ調節具１０を具備したことにより、骨格矯正器具１の高さを任意に調整することができる。そのことにより、身体サイズの異なる女性から男性まで、幅広く使用することが可能となる。
【００２５】  次に、本考案における骨格矯正器具１の使用方法の詳細を図６及び図７に基づいて説明する。
図６においては、骨格矯正器具１を腰椎Ａの下部に配設した状態の側面図であり、図７はその状態の平面図を示すものである。本考案の骨格矯正器具１を腰椎Ａの下部に配設することにより、図６に示すように、腰椎Ａが上方に湾曲され、腰椎Ａの狭窄状態を解消することができる。また身体の反りにより健筋に特別な力が加わり、腹筋のトレーニング効果も得られる。
【００２６】  また図７に示すように、一対の押圧具３が腰椎Ａの両側面に配置される。そのことにより、腰椎Ａを真っ直ぐな状態に好適に維持させることができる。さらに湾曲状の押圧具３により、腰椎Ａの両側にある健筋のマッサージ効果も発揮する。
【００２７】  なお、本考案の骨格矯正器具１は、腰椎Ａの下部に配設されるものに限定されるものではなく、仙骨や尾▲てい▼骨の下部に配設して使用することができる。さらに、首筋の下部に配設することで、肩こりや首の曲がりを解消することも可能である。
【００２８】  上述の如く、本考案の骨格矯正器具１は、台部２と、台部２に具備された押圧具３とで構成されるため、全体形状を嵩張らすことなく製造コストを削減できる。また、前記押圧具３は、台部２上に間隔部を有する状態で平行に装着されていることにより、腰椎の狭窄や曲がりを矯正するとともに、腰椎、仙骨、尾▲てい▼骨を刺激することでマッサージ効果を付与することができる。
【符号の説明】
【００２９】１    骨格矯正器具
２    台部
３    押圧具
３ａ  一側
３ｂ  他方側
１０  高さ調節具
１１  基台
１２  調節部
１３  突起
Ａ    腰椎
【図１】
0003182042.tif 000003
【図２】
0003182042.tif 000004
【図３】
0003182042.tif 000005
【図４】
0003182042.tif 000006
【図５】
0003182042.tif 000007
【図６】
0003182042.tif 000008
【図７】
0003182042.tif 000009